(57)【特許請求の範囲】
【請求項１】
空冷式凝縮器(13)が設置された機械室(12)と、前記機械室(12)を閉塞する金属製のパネル(14)と、前記パネル(14)の角穴(14b)に設けられ、スリット状挿入口(16a)を形成する樹脂製のフィルタガイド(16)と、前記スリット状挿入口(16a)に対し縦に垂直かつ着脱可能に装着される差込式のエアフィルタ(17)とを備え、前記フィルタガイド(16)およびエアフィルタ(17)に、逆差し防止機構(16b,17a)を設けたエアフィルタ付き冷却貯蔵庫において、
前記逆差し防止機構は、前記スリット状挿入口(16a)の上端部または下端部に設けた凹溝(16b)と、前記エアフィルタ(17)の上端縁または下端縁に設けられ、前記凹溝(16b)に整合する凸条(17a)とで構成されるエアフィルタ付き冷却貯蔵庫。
【請求項２】
前記フィルタガイド(16)の下端部から前記パネル(14)に密着して垂下する部分のパネル対向面を窪ませた請求項１記載のエアフィルタ付き冷却貯蔵庫。
【請求項３】
前記フィルタガイド(16)におけるスリット状挿入口(16a)の入口孔形状を、フィルタ挿入方向に幅が狭くなるテーパ状にすると共に、該テーパ状の面の奥側に設けられた段部(26)に係脱可能に係止される突起(17c)を前記エアフィルタ(17)に設けた請求項１または２記載のエアフィルタ付き冷却貯蔵庫。
【請求項４】
前記フィルタガイド(16)には、前記パネル(14)に取り付けるときの逆差し防止手段(18)が設けられている請求項１〜３の何れか一項に記載のエアフィルタ付き冷却貯蔵庫。
【請求項５】
前記逆差し防止手段は、前記フィルタガイド(16)の背部に設けられ、前記パネル(14)が当接する庫壁端面(12a)を逃げる凹部(18)である請求項４記載のエアフィルタ付き冷却貯蔵庫。
【発明の詳細な説明】
【０００１】
【発明の属する技術分野】
本発明は、フィルタを通した空気で凝縮器を冷却する冷却貯蔵庫(冷凍庫や冷蔵ショーケースを含む)に関し、更に詳細には、フィルタの交換が容易なエアフィルタ付き冷却貯蔵庫に関するものである。
【０００２】
【従来の技術】
図６は、従来の冷蔵ショーケースの機械室部分の分解斜視図である。この冷蔵ショーケース１の扉２が取り付けられた冷蔵室の下側には機械室３が設けられ、この中に、空冷式凝縮器４などの機械類が収容される。この機械室３の前面開口部には、フロントパネル５がネジ６等でネジ止めされる。機械室３内に設置された凝縮器冷却用のファン(図示せず)が作動すると、フロントパネル５の吸気孔７から空気が機械室３内に吸い込まれる。前記空冷式凝縮器４は、そのエア吸込み面をフロントパネル５に対して略直交する側方に指向する状態で配置されており、そのエア吸込み面には、吸気孔７から吸込まれた空気に含まれる塵埃を除去するためのエアフィルタ８が着脱可能に装着されるようになっている。なお、図６において符号９は排気孔を示す。
【０００３】
【発明が解決しようとする課題】
従来のエアフィルタ付き冷却貯蔵庫は、前記エアフィルタ８を交換する場合、フロントパネル５を取り外さないと交換ができない。このため、エアフィルタ８の交換が面倒となり、結果的に汚れたエアフィルタ８で長時間運転を続けることが多くなり、冷却効率を下げてしまうという問題が指摘される。
【０００４】
【発明の目的】
本発明は、従来の技術に係るエアフィルタ付き冷却貯蔵庫に内在している前記欠点に鑑み、これを好適に解決するべく提案されたものであって、フロントパネルを取り外さなくてもエアフィルタの交換が容易なエアフィルタ付き冷却貯蔵庫を提供することを目的とする。
【０００５】
【課題を解決するための手段】
前記課題を解決し、所期の目的を達成するため、本発明に係るエアフィルタ付き冷却貯蔵庫は、
空冷式凝縮器が設置された機械室と、前記機械室を閉塞する金属製のパネルと、前記パネルの角穴に設けられ、スリット状挿入口を形成する樹脂製のフィルタガイドと、前記スリット状挿入口に対し縦に垂直かつ着脱可能に装着される差込式のエアフィルタとを備え、前記フィルタガイドおよびエアフィルタに、逆差し防止機構を設けたエアフィルタ付き冷却貯蔵庫において、
前記逆差し防止機構は、前記スリット状挿入口の上端部または下端部に設けた凹溝と、前記エアフィルタの上端縁または下端縁に設けられ、前記凹溝に整合する凸条とで構成される。
【０００６】
【発明の実施の形態】
次に、本発明に係るエアフィルタ付き冷却貯蔵庫につき、好適な実施例を挙げて、添付図面を参照しながら以下説明する。
【０００７】
図１は、本発明の一実施形態に係るエアフィルタ付き冷蔵ショーケースの機械室部分の分解図である。このエアフィルタ付き冷蔵ショーケース１０は、扉１１で開閉される冷蔵室の下側に機械室１２が設けられており、この機械室１２内に、空冷式凝縮器１３や凝縮器ファン等の機器類が収納設置されている。
【０００８】
前記機械室１２の前面開口部には、フロントパネル(パネル)１４が複数の化粧ネジ１５を介してネジ止めされる。そして、機械室１２内の凝縮器ファンが作動すると、フロントパネル１４に形成された複数の吸気孔１４ａから外部空気が機械室１２内に吸い込まれ、前記空冷式凝縮器１３等の機器類を空冷するよう構成される。なお、空冷式凝縮器１３は、そのエア吸込み面がフロントパネル１４に対して略直交する側方(図１においての右側方)に指向する状態で配置されている。また本実施形態では、図１においてフロントパネル１４の右側に偏在して縦長のフィルタガイド１６が着脱可能に取り付けられており、空冷式凝縮器１３のエア吸込み面に対応して配設される差込式のエアフィルタ１７は、このフィルタガイド１６を介して着脱可能に装着されるようになっている。なお、本実施形態では、図１においてフロントパネル１４の幅方向中央を挟んで右側に位置する２列の孔群が吸気孔１４ａであり、左側に位置する２列の孔群が排気孔１４ｃである。
【０００９】
図２は、フロントパネル１４に着脱可能に固定されるフィルタガイド１６の斜視図であり、そのＡ―Ａ線断面を図３の下段に示す。このフィルタガイド１６は、長手矩形の筒状に形成されており、その前面に陥凹部２０が形成されると共に、該陥凹部２０の背部側で開口するスリット状挿入口１６ａの入口孔形状は、その左右内面が、フィルタ挿入方向の奥側に向かうにつれて狭くなるように、テーパ形状となっている。また、スリット状挿入口１６ａの幅が寸法ａ(この寸法ａについては後述)まで狭まった後は、幅広の空間１６ａ’になっている。フィルタガイド１６を取り付けるフロントパネル１４には、長方形の角穴１４ｂが設けられており、この角穴１４ｂにフィルタガイド１６を嵌めて押し込むことで、フィルタガイド１６はフロントパネル１４に装着固定される。なお、フィルタガイド１６の前部にはフランジ部２１が設けられると共に、該フランジ部２１からフロントパネル１４の厚み分だけ背側に離間する両側面に複数の係合片２２が上下方向に離間して突設してある。そして、フロントパネル１４の角穴１４ｂにフィルタガイド１６を押し込んだ際に、フランジ部２１と係合片２２とでフロントパネル１４を挟持することで位置決めするよう構成される。
【００１０】
前記フロントパネル１４は一枚の金属製の板材で構成されているが、前記フィルタガイド１６が装着されることで、フロントパネル１４の撓みが少なくなる効果、すなわちフィルタガイド１６は補強材としても機能する。更に、フロントパネル１４に開けた角穴１４ｂに前記エアフィルタ１７を直接挿入する構成にすると、角穴１４ｂの角に指が当たるが、このフロントパネル１４の角穴１４ｂに樹脂製のフィルタガイド１６を装着することで、角穴１４ｂは前記フランジ部２１で覆われるから、角穴１４ｂの角に指が直接当たるのを防止することができる。
【００１１】
前記フィルタガイド１６のスリット状挿入口１６ａの上端部には、図２に示す如く、幅方向(左右方向)の一方、この例では左方向に偏在する凹溝１６ｂが上向きに穿設されており、これがエアフィルタ１７の逆差し防止機構の一方を構成する。逆差し防止のためだけであれば、この凹溝１６ｂを設ける方向をスリット状挿入口１６ａの側部の一方に設けても効果は同じである。しかし、このようにすると、フロントパネル１４側に開けるフィルタガイド装着用の角穴１４ｂも側方に膨出した穴を開けなくてはならず、面倒なためコストが嵩むことになる。また、フィルタ装着用の角穴１４ｂがその部分で横方向に大きくなり、指などが入ってしまうおそれがある。しかし、縦方向に凹溝１６ｂを設けることで、逆差し防止の他、フロントパネル１４に設けるフィルタガイド装着用の角穴１４ｂの幅も全長に亘って狭くできる。しかも、フィルタガイド装着用の角穴１４ｂには凹溝１６ｂに対応する凹部を設ける必要はなく、該角穴１４ｂを完全な長手の長方形とすることができ、フロントパネル１４の加工が容易となる。
【００１２】
前記フィルタガイド１６の下端背部には、図５に示す如く、凹部１８が形成されている。この凹部１８は、フィルタガイド１６が正常にフロントパネル１４に取り付けられている場合には、図１において、該パネル１４が機械室開口部に取り付けられたとき、機械室１２の底壁前端面(庫内端面)１２ａをこの凹部１８が逃げることで、フロントパネル１４の機械室開口部への取り付けに支障がでないようになっている。
【００１３】
仮に、フィルタガイド１６のフロントパネル１４への取り付けが上下逆になっている場合には、該パネル１４を機械室開口部に取り付ける際、フィルタガイド１６の上端背部１８ａ(図２)が底壁前端面１２ａに当接し、フロントパネル１４の機械室開口部への取り付けができない。すなわち、前記凹部１８は、フィルタガイド１６のフロントパネル１４に対する上下の逆差し防止手段として機能するようになっている。
【００１４】
前記エアフィルタ１７は、図１に示すように、前記フィルタガイド１６の陥凹部２０に収容可能な外形寸法に設定された前板２３の背面側に、前記空冷式凝縮器１３のエア吸込み面を覆い得る寸法の矩形状に形成した本体部２４が突設されている。この本体部２４には所要メッシュの網２５が張設されると共に、その上端縁に沿って幅方向の左側(フィルタガイド１６の凹溝１６ｂと対応する側)に逆差しが防止機構の他方を構成する凸条１７ａが形成されている。このため、エアフィルタ１７をフィルタガイド１６のスリット状挿入口１６ａ内に挿入するとき、凸条１７ａとフィルタガイド１６の凹溝１６ｂとが整合してエアフィルタ１７の挿入に支障は出ない。しかし、エアフィルタ１７を上下逆にした場合、フィルタガイド１６のスリット状挿入口１６ａにエアフィルタ１７を挿入することはできなくなり、逆差しが防止される。なお、前板２３の前面には取っ手部１７ｂが設けられている。
【００１５】
図３の上段は、図１のＢ―Ｂ線断面図であり、前記エアフィルタ１７の本体部２４における前板２３に近接する位置には、側面側に突出する突起１７ｃが設けられている。本体部２４の幅にこの突起１７ｃの高さを足した寸法をｂとすると、この寸法ｂは、前記フィルタガイド１６のスリット状挿入口１６ａにおける最低幅寸法ａに対して「ａ＜ｂ」の関係に設定されている。
【００１６】
これにより、エアフィルタ１７をフィルタガイド１６のスリット状挿入口１６ａに挿入すると、突起１７ｃが挿入口１６ａのテーパ面に当接した位置で止まる。その位置から、更に力を込めてエアフィルタ１７を挿入すると、樹脂製のフィルタガイド１６が若干弾性変形し、突起１７ｃがテーパ面から奥側に離間して幅広の空間１６ａ’との段部２６に係脱可能に係止されることで、エアフィルタ１７はフィルタガイド１６にロックされる。従って、エアフィルタ１７は簡単にはフィルタガイド１６から抜け落ちることがなくなる。エアフィルタ１７をフィルタガイド１６から抜き取るときは、突起１７ｃが段部２６から離れる位置まで最初だけ力を込めて引けば、後は力を入れなくてもエアフィルタ１７を抜き取ることができる。なお、エアフィルタ１７の突起１７ｃがフィルタガイド１６のテーパ面に接触する際には、エアフィルタ１７が突起１７ｃとテーパ面との接触部を支点として若干傾くことで、フィルタガイド１６のスリット状挿入口１６ａにおける前記最低幅寸法ａに対して、突起１７ｃが形成されている部位における該寸法ａと平行な方向の寸法が若干短かくなり、該フィルタ１７のロック位置への挿入が容易となる。
【００１７】
図５は、フィルタガイド１６の下端部の斜視図である。このフィルタガイド１６の下端部には、下方向に突出する舌部１６ｃが形成されており、この舌部１６ｃの背面(パネル対向面)Ｃでフロントパネル１４の前面に密着する様になっている。本実施形態では、この舌部１６ｃの背面全面がパネル１４に密着することが無いように、背面にフロントパネル１４から離間する方向に窪む窪み１９を形成し、舌部１６ｃの横断面形状が浅い凹形状となるようにしている。
【００１８】
前記舌部１６ｃに窪み１９を設けずに、舌部１６ｃの背面全面がフロントパネル１４に密着すると、上方から垂れてきた水がこの密着面に入り込み、その表面張力で長く密着面に水が留まることになる。これがスキマ腐食の原因となる。しかるに、本実施形態では、窪み１９を設けているため、この部分に水が留まることはなく、速やかに水が排出されるため、腐食を回避可能となる。また、フィルタガイド１６をフロントパネル１４から取り外す場合には、この窪み１９にマイナスドライバ等の工具先端を入れることで、容易にフィルタガイド１６とフロントパネル１４との嵌合を外すことができる。
【００１９】
【実施例の作用】
次に、本実施形態のエアフィルタ付き冷蔵ショーケースの作用について説明する。この冷蔵ショーケース１０を組み立てる場合、前記フィルタガイド１６を上下逆にしてフロントパネル１４に装着しようとしても、フィルタガイド１６の背部の上端背部１８ａが庫壁端面(底壁前端面１２ａ)に干渉して装着することができない。このため、間違った組み立ては不可能となる。
【００２０】
前記フィルタガイド１６に装着されている前記エアフィルタ１７を交換しようとする場合、使用済みのエアフィルタ１７をフィルタガイド１６から抜き取る。そして、新しいエアフィルタ１７をフィルタガイド１６のスリット状挿入口１６ａに挿入する。このとき、間違って使用済みのエアフィルタ１７を上下逆にしてフィルタガイド１６のスリット状挿入口１６ａに挿入しようとしても、逆差し防止機構(１６ｂ,１７ａ)があるため、挿入することはできない。すなわち、エアフィルタ１７における塵埃が付着した面が、前記空冷凝縮器１３のエア吸込み面と対向して装着されることはなく、該凝縮器１３への塵埃の吸込みを未然に防止し得る。
【００２１】
新しいエアフィルタ１７を逆差しでない正常な状態でフィルタガイド１６に挿入すると、エアフィルタ１７の側部に設けられた前記突起１７ｃがスリット状挿入口１６ａのテーパ面に当接する(図４参照)。この当接位置から更に若干力を込めて挿入すると、突起１７ｃがテーパ面から離間して、前記幅広の空間１６ａ’との段部２６に係止され、これによってエアフィルタ１７がフィルタガイド１６にロックされる。このようにしてエアフィルタ１７をフィルタガイド１６にロックできるため、該エアフィルタ１７の取り付け構造の簡易化を図ることができる。しかも、エアフィルタ１７の突起１７ｃがフィルタガイド１６のテーパ面に接触する際には、該エアフィルタ１７が突起１７ｃとテーパ面との接触部を支点として若干傾くことでフィルタ１７のロック位置への挿入が容易となる。
【００２２】
前記冷蔵ショーケース１０を水洗いした場合等では、フィルタガイド１６が装着されているフロントパネル１４に水が掛かると、両者間の隙間に水が入り込むことがある。この水は、重力に従って下方向に少しずつ流下し、最後はフィルタガイド１６の下端部に溜まることになる。この下端部のフロントパネル１４との間の隙間が狭ければ狭いほど、この隙間に働く水の表面張力は重力より強くなり、水は隙間に長く留まり、腐食の原因になる。しかるに、本実施形態のフィルタガイド１６の下端部に設けられた舌部１６ｃのフロントパネル密着面には窪み１９が設けられているため(図５参照)、この窪み１９に入った水は重力によって速やかに排出され、腐食が抑制される。なお、前述したようにフロントパネル１４に対してフィルタガイド１６は、上下逆に装着されることは逆差し防止手段(１８)により防止されるから、窪み１９は常に下側に位置して水の好適な排出処理がなされる。
【００２３】
このように、本実施形態に係るエアフィルタ付き冷蔵ショーケース１０は、差込式のエアフィルタ１７を交換するときフロントパネル１４を取り外したり取り付ける必要はなく、フロントパネル１４に垂直に着脱可能に装着できる。しかも、エアフィルタ１７をロックする機構が極めて簡単なため、エアフィルタ１７の交換をこまめにできることになる。従って、目詰まりしたエアフィルタ１７で運転するよりも冷却装置の冷却効率が向上し、省エネルギーを図ることが可能となる。また、エアフィルタ１７の逆差しが防止されるので、空冷式凝縮器１３が目詰まりしたり、機械室１２内を汚すこともない。更に、フィルタガイド１６とフロントパネル１４との隙間に水が入り込んでも速やかに排出される機構を設けているため、腐食は容易に回避可能となる。
【００２４】
前述した実施形態では、フィルタガイドとエアフィルタの逆差し防止機構として、フィルタガイドの上端部に凹溝を形成すると共に、エアフィルタの上端縁に凸条を設けた場合で説明したが、本願発明はこれに限定されるものでない。例えば、凹溝と凸条とを形成する部材を逆としたり、または逆差し防止機構をガイドおよびフィルタの下端側に形成するようにしてもよい。あるいは、逆差し防止機構は幅方向の中央等に設けられものであってもよい。
【００２５】
【発明の効果】
以上に説明した如く、本発明に係るエアフィルタ付き冷却貯蔵庫によれば、金属製のパネルにフィルタガイドを設けることで、フィルタガイドが補強材として機能し、パネルの撓みを少なくし得る。また、パネルの角穴に樹脂製のフィルタガイドを設ける構成としたので、エアフィルタを挿入する際に指が角穴に直接当たるのを防止することができる。
更に、差込式のエアフィルタは縦にしてパネルに着脱可能に差し込む方式で取り付ける構造としたから、エアフィルタ交換時に機械室のパネルを取り外したり取り付ける必要がなくなる。また、エアフィルタの逆差しが不可能な構造を設けたため、使用済みの汚れたエアフィルタを新しいエアフィルタと間違ってパネルに逆差ししたときエアフィルタに付着しているゴミ等が機械室内に吸い込まれるというおそれがなくなる。
【００２６】
更に、フィルタガイド下端部のフロントパネルに密着する部分が狭い隙間のままだと、この隙間に入り込んだ水が長く隙間内に止まり、腐食の原因になってしまうが、この密着する面を窪ませてパネルとの間で密着させない構造としたため、ここに水が滞ることがなくなり、隙間腐食が防止される。また、この窪みを利用することで、容易にフィルタガイドをパネルから外して交換することが可能となる。
【００２７】
前記フィルタガイドのスリット状挿入口をテーパ形状として入口を広くすることでエアフィルタの装着が容易となり、また、エアフィルタに突起を設け、この突起をフィルタガイドの段部に係止する構成とすることで、エアフィルタをフィルタガイドに簡単にロックすることができる。
【００２８】
更にまた、フィルタガイドをパネルに取り付ける際に、逆差し防止手段が設けられているから誤ってフィルタガイドの上下を間違うおそれが無くなる。
【図面の簡単な説明】
【図１】本発明の一実施形態に係るエアフィルタ付き冷蔵ショーケースの機械室部分の分解斜視図である。
【図２】図１に示すフィルタガイドの斜視図である。
【図３】図１に示すフィルタガイドにエアフィルタを挿入するときの要部断面図である。
【図４】図１に示すフィルタガイドにエアフィルタを挿入したときのフィルタガイド入口部分の断面図である。
【図５】図２に示すフィルタガイドの下端部の斜視図である。
【図６】従来のエアフィルタ付き冷蔵ショーケースの機械室部分の分解斜視図である。
【符号の説明】
１２ 機械室，１２ａ 庫壁前端面(庫壁端面)，１３ 空冷式凝縮器
１４ フロントパネル(パネル)，１４ｂ 角穴，１６ フィルタガイド
１６ａ スリット状挿入口，１６ｂ 凹溝(逆差し防止機構)
１７ エアフィルタ，１７ａ 凸条(逆差し防止機構)，１７ｃ 突起
１８ 凹部(逆差し防止手段)，２６ 段部
【図１】
0004583636.tif 000002
【図２】
0004583636.tif 000003
【図３】
0004583636.tif 000004
【図４】
0004583636.tif 000005
【図５】
0004583636.tif 000006
【図６】
0004583636.tif 000007